(57)【要約】【課題】洗濯物ハンガーが強い風で脱落してしまうのが大変心配。高い位置のパイプへはフックが掛けにくい。洗濯バサミが絡みついてしまう。洗濯バサミの端末やバネが指先に当たって痛い。などの難点を解決して提供する。【解決手段】洗濯物ハンガーのフックをパイプへ掛るだけで、脱落防止のロック機能が自動的に働きパイプから落ちない機構にして、フックをパイプから外す動作だけでロックが自動的に解除出来る機構とした。ハンドルは高低２ヶ所につけて利用の利便性をもたらした。からみついて不便な洗濯バサミはシンプル、スマートでからみつかない構造にして解決した。【選択図】図１
2008253695.tif 000002
【特許請求の範囲】
【請求項１】
洗濯物ハンガーのフックをパイプへ掛ける操作だけで、脱落防止機構が自動的に作動しロックが出来、脱落防止ロック機構の解除する場合においても、フックをパイプから外す操作をするだけで出来、操作は洗濯物ハンガー上面側及び下面側に構成された複数のハンドルから出来ることを特徴とした洗濯物ハンガー１。
【請求項２】
１対のハサミ具とそれを挟み込み固定するバネからなる、洗濯バサミにおいて、１対のハサミ具連結穴を枠体への連結具の１つのリングに集合連結できるための、ハサミ具の力点付近を柔軟性ある弾性形態にて成型したハサミ具で構成したことを特徴とした洗濯バサミを取り付けた洗濯物ハンガー１。
【請求項３】
１対のハサミ具とそれを挟み込み固定するバネからなる、洗濯バサミにおいて、１対のハサミ具連結穴を枠体への連結具の１つのリングに集合連結し、作業時において、リングと指との摩擦を防止するリングガードをハサミ具の端末に設けたことを特徴とした洗濯バサミを取り付けた洗濯物ハンガー１。
【請求項４】
２個１対のハサミ具を一体成型することが出来、さらに、使用時においてはさみ具同士の横ずれを防止する為の、片側ハサミ具と片側ハサミ具を連結するハサミ具連結部を設けたことを特徴とした洗濯バサミを取り付けた洗濯物ハンガー１。
【発明の詳細な説明】
【技術分野】
【０００１】本発明は、洗濯物ハンガーがパイプから脱落をしない、自動脱落防止装置付きフックと、絡みつかない洗濯バサミで構成された洗濯物ハンガーに関するものである。
【背景技術】
【０００２】従来、図１６で示す通り、洗濯物ハンガー１０１でフックが挟み込みフック１０２となっていてパイプ１６を挟みこむ方式がある。この方式は脱落防止には大変有効である。しかし、握り部１０３を必ず握り込む必要があり、脱落防止が必要ない場合でも握って作業しなければならない。【０００３】また、図１７で示す通り、洗濯ものハンガー１０７でフックの一部にパイプ１６を押さえるＬ字型回転アーム１０８が組み込まれている形式の場合、パイプから脱落しにくいが、脱落防止ロックがかからないので万全ではない、Ｌ字型回転アーム１０８がむき出しの為、指先を痛めてしまうこともあり、また、洗濯物が絡みつく難点がある。【０００４】また、パイプの設置高さの問題であるが、洗濯物ハンガーをパイプ１６に掛ける場合、にぎる部がハンガー枠の上部に１ヶ所だけでは手が届かず、小柄な人にとっては高い位置にあるパイプには掛けにくく、取り外しにも不便である。【０００５】図１６で示す従来の洗濯バサミ１０４、図１７で示す従来の洗濯バサミ１０９は樹脂整形タイプが広く普及している、ほかに金属製もあるが構造と機能形態には差が無い。【０００６】図１８で示す、従来の洗濯バサミ１１１とハンガー枠１０６との連結は、洗濯バサミのバネ１１９に連結具１２９を連結し、吊り下げる方式が取られているが、１組で２つのハサミ具端末１１２が釣り針の形や、船舶固定用イカリの形で、洗濯バサミ同士が絡みつくのは当然である。特に折りたたんだ洗濯物ハンガーを開く時が最悪である。【０００７】また、図１８で示す、従来の洗濯バサミはそのほぼ重心位置にあるバネ１１９に、連結具１２９を取り付けているので、過度にブラブラと揺れて洗濯バサミの力点１１４を的確に指先で摘みにくい。【０００８】図１８で示す、従来の洗濯バサミ１１１の力点１１４は洗濯バサミ端末１１２であるので、力点１１４の範囲は狭くなる。力点１１４部分を幅広くしたタイプもあるが幅広くすれば正比例して、絡みつきやすくなる難点が生じる。【０００９】図１７に示す通り、洗濯バサミ１０９はリングバネそのものが、ハサミ具外面より突起物となる。洗濯バサミ１０９を握っただけで細いリングバネが指に当たり痛い。図１９で示すのは、物を挟むために力点１１４を挟み込んだ場合を示している。バネ１１９がハサミ具１１７の外面より突出しバネが、指１２０の▲１▼、▲２▼、▲３▼に当たり痛い。【００１０】従来の洗濯バサミは、乾いた洗濯物を外すときに、一つ一つつまんで外さなくてはならず、スピーディではない。【００１１】従来の洗濯バサミは、方片のハサミ具とハサミ具の２つを別々に製作して後、組み立てているので、洗濯バサミ組立工程が煩雑である。などが現在の洗濯物ハンガーの背景である。【００１２】
【特許文献】特許第３４１３７２２号（Ｐ３４１３７２２）  特開２００１−１９０８９６（Ｐ２００１−１９０８９６Ａ）
【発明の開示】
【発明が解決しようとする課題】
【００１３】これらの問題解決のために、上記に示す文献もあるが、総じて次のような課題が存在する。【００１４】ほぼ毎日使用する洗濯物ハンガーを使用する時には、〔Ａ〕室内又は室外のパイプにハンガーをかける、〔Ｂ〕折りたたんだハンガーを開く、〔Ｃ〕洗濯バサミに洗濯物をはさんで吊るす、〔Ｄ〕乾いた洗濯物を取り外す、〔Ｅ〕ハンガー枠を折りたたみしまう、〔Ｆ〕降雨時の緊急取り込み、〔Ｇ〕風によるハンガー脱落の心配、これの繰り返しの作業である。【００１５】強い風、突風によりパイプから洗濯ハンガーが脱落した場合、洗濯をやり直すだけなら我慢するとしても、階下の人や通行人に迷惑がかかってしまう事は重大問題である。操作が簡単で、強風や、突風があっても脱落しない信頼性の有る洗濯物ハンガーがあれば。もちろん操作が面倒にならないで楽々出来るものを。【００１６】パイプの高さの問題である。身長によっては洗濯ハンガーを爪先立ち、背伸び、台の上に乗ってなど苦労もある。【００１７】折りたたんだ洗濯物ハンガーを開く時、又、洗濯物ハンガーを並べて使用すると洗濯バサミと洗濯バサミが絡み付き、いらいらしてストレスである。【００１８】ぶら下がった洗濯バサミは必要以上にぶらついて摘まみにくいものである。又、ハサミ具端末やはみ出したバネにより指先を痛くすることも有る。高齢者の運動性に対応できてない。【００１９】ハサミ具２つを別々に製作して、組み立てる工程を省力化する課題。【００２０】前項の通り従来の洗濯物ハンガーは難点、門題を持っている。この難点、門題を解決した洗濯物ハンガーを提供するのが課題である。
【課題を解決するための手段】
【００２１】この発明は前記課題を解消する為になされたものであり、以下概要を説明する。【００２２】図１は洗濯物ハンガーの構造図を示し、パイプにフックを掛けてパイプストッパーがロックしている状態を示している。【００２３】図４はパイプからフックがはずれ、パイプストッパーが解除されてオープンな状態を示している。【００２４】操作するためのハンドルは、ハンガー上面側に１つ、ハンガー下面側に１つ構成してある。オートロックフックと解除は、複数のハンドルから操作し解除できる。【００２５】さらに図４で示すハンガーを折りたたんだ状態からは、ハンガー枠自体を握り持ち上げる動作をすることによってもオートロックフックと解除できる。【００２６】上記による複数ハンドルからの操作をする場合において、機構の作動方向と洗濯物ハンガーのセットの動作の方向同一式にして一致させた構成としてある。よってバネの付いた握り部を握るとか、つまみをひねるなど面倒な操作をすることがまったく無いので便利性が良い。【００２７】絡まったり、引っかかったりする洗濯バサミ端末の形態は改良し、絡まる原因である２つ一組ある洗濯バサミ端末の２つの連結穴を連結具の１つのリングにまとめる構成とした。次の２つの方法にて構成した。【００２８】第１実施例は、洗濯バサミの構成を図９で示し、使用例を図１０で示している。その構成は、ハサミ具４７を部分的に平面的に薄く製作、または、線状溝５３を入れるなどの弾性形態５４にて成型して、１対の連結穴４３を連結具５９の一つのリングへ集合連結の形態にして使用感をなめらかにし、絡みつきや引っかかる部分を洗濯バサミから無くした。【００２９】第２実施例は、洗濯バサミの構成を図１１で示し、使用例を図１２で示している。硬質形態７５で形成したハサミ具６７のハサミ具端末６２に洗濯バサミを使用するに当たって指先が連結具７９のリングとの摩擦を受けないためのリングガード７６を構成した、２つの連結穴６３を連結具７９の１つのリングへ集合連結の形態にして、絡みつきや引っかかる部分を洗濯バサミから無くした。【００３０】さらに、１０図及び１２図で示す通り、洗濯バサミをつまんだ場合でもハサミ具からバネが突起物とならない形態に成型して、使用に際して指先に優しい形態機能の洗濯バサミ４１、洗濯バサミ６１を提供する。【００３１】図１３で示す通り、使用時においてハサミ具とハサミ具が横ずれ防止の機能のため、洗濯バサミの組み立て工程の簡略化の為に、２つのハサミ具をまとめて一体成型した。
【発明の効果】
【００３２】以上の構成により、本発明は次のような効果を生じる。【００３３】オートロックフックは、洗濯物ハンガーのパイプからの脱落がなくなり、強風、突風などがあっても安心できる。【００３４】オートロックフックは、高所のパイプ１６を使用する場合でも、洗濯物ハンガー下面側にも下部ハンドル９が装着されているので、楽にかけられて、楽にはずすことが出来る。小柄な人にも使いやすい、洗濯物ハンガーである。【００３５】オートロックフックは何もつけてない単純フックと同じ操作作業をするだけで良く大変シンプルである、さらに、指を挟みこまない構造、方式のユニバーサルデザインで安心して使用できる。【００３６】洗濯バサミは絡みつかないので、いらいらしなくストレスがなくなった。スマート形態なので、折りたたんだときの収納性が良くなった。さらに高齢者の指先運動性にも対応できてユニバーサルデザインで安心して使用できる。洗濯物の取り外しは、つまんで引きおろせば取り外せるので、ワンタッチ性が良くなった。【００３７】洗濯バサミの組み立て工程が簡略できた。
【発明を実施するため最良の形態】
【００３８】次に本発明の実施の形態について説明する。
【００３９】図１は洗濯物ハンガー１の構成を示す側面図である。オートロックフック体２とハンガー枠６と洗濯バサミ１１により構成されている。
【００４０】オートロックフック体２のフック体シャフト４を軸心として回転できるワイヤー支持具１４とワイヤー１３によりハンガー外枠６は吊り下げられている。洗濯バサミ１１はハンガー枠６に吊り下げられている。
【００４１】フック体シャフト４の下部に中枠受け具５が構成され、重量物を吊り下げた場合でも、ハンガー枠が中折れしてしまわない様、ここで受け止めることによりハンガー枠の中折れを防止する。
【００４２】図２はハンガー枠の折りたたみの途中を示している。ハンガー外枠６は中心に位置するヒンジ１０において結合されて、図４で示す形態に折りたたむことができる。
【００４３】図３は洗濯物ハンガーの上面図である。図４に示す通りハンガー外枠を２つ折にして収納時において、洗濯バサミが重ならない位置に配置してある。
【００４４】図４で示す、内枠受け具８が下部ハンドル８に構成されていて、折りたたんだ状態からのでも内枠からの連動により、ロックの解除が出来る。
【００４５】図５は、オートロックフック体２の構造を示す図である、パイプ１６に掛けるフック１７、本体横に可動する上部ハンドル３、本体下部にはフック体シャフト４及び上下可動する下部ハンドル９が配置されている。
【００４６】オートロックフック体２内部には回転するパイプストッパー１５、角度変化してパイプストッパーの回転をロックする三股カム１８、とバネ１９、２０により構成されている。
【００４７】図６は、脱落防止ロック機構が作動する構造を示す図である。パイプ１６へフック１７を掛けることにより、パイプ１６から受ける力矢印３１にてパイプストッパー１５が矢印３２へ回転し、連動した三股カム１８が矢印３３へ角度変化する、パイプストッパーロック接点２２と三股カムロック接点２１が合致するのでパイプストッパー１５の逆回転防止機構が自動的に作動してロックする。
【００４８】フックを掛けるには、上部ハンドル３、下部ハンドル９、折りたたんだハンガー外枠、の３ヶ所からパイプへフックを掛けることができる。
【００４９】図７は、脱落防止ロック機構の解除が作動する構造を示す図である。ロック解除は３通りの方法で実施できる。
【００５０】第１の方法は、上部ハンドル３を握り持ち上げることにより矢印３４方向へ動き、上部ハンドルの接点２４が三股カムＮｏ．２接点２３を押すことにより、連動して三股カム１８の角度が矢印３７へ変わりパイプストッパーロック接点２２と三股カムロック接点２１が離れる事により、ロックは自動解除されて、パイプストッパー１５は矢印３８へ回転でき、パイプは矢印３９へ離脱する。
【００５１】第２の方法は、図８で示している。下部ハンドル９を握り、上方へつまりパイプ１６からフック１７をはずす方向矢印３５へ押し上げることにより、下部ハンドル接点２６が三股カムＮｏ．３接点２５を押し、連動して三股カム１８の角度が矢印３７へ変わりパイプストッパーロック接点２２と三股カムロック接点２１が離れ、ロックが自動解除され、パイプストッパー１５は矢印３８へ回転し、パイプ１６は矢印３９へ離脱する。
【００５２】第３の方法も同じく図８で示している。図４の場合、下部ハンドル９、又は、ハンガー外枠６自体を握って上方へ持ち上げることで連動して、内枠１２が内枠受け具８を押し上げ、下部ハンドル８が持ち上げられて、連動してロックが自動解除されて、パイプは矢印３９へ離脱する。
【００５３】オートロックフック機構の特徴は、フックを掛ける場合、又、フックを外す場合の作業と動作の方向と、ロックする機構及びロック解除する機構の方向同一式にて方向を一致させてある事である。つまみを握ったりひねったりなど複雑な操作することなく、単純にフックを掛ける、はずだけでよいので、複雑な操作することなくシンプルで利便性が良い。
【００５４】図９は洗濯バサミ４１の構成を示す図である。ハサミ具４７とバネ４９により構成されていて、ハサミ具４７は支点４５にて接し、バネ４９にて押えつけられている。
【００５５】図９に示す通り、本発明の洗濯バサミ４１とハンガー枠６との連結は２つの連結穴４３を連結具５６の１つのリングへ集合連結してハンガー枠６へ連結する。
【００５６】洗濯バサミ４１のハサミ具４７は一部分が柔軟性ある弾性形態部５４にて形成されている。つまりハサミ具端末４２より力点部４４までを平面的に薄い構造、あるいは、部分的に薄くした線状溝５３にて弾性形態とし、力点付近がなめらかに曲がることが出来る、又戻る弾性構造である。
【００５７】図１０は洗濯バサミ４１の使用状態を示す図である、力点部４４を押して作用点４６を最大に開いている。力点部分は弾力により逆弓形となっているが、力点４４を離すことによりバネ４９の戻り力と弾性形状の柔軟性により基の洗濯バサミ４１の形態に戻る。
【００５８】図１１は洗濯バサミ６１を示す図である、１対の硬質形態で形成したはさみ具６７とバネ６９により構成されている。はさみ具６７は支点６５にて接し、バネ６９にて押さえつけられている。
【００５９】図１１に示す通り、本発明の洗濯バサミ６１とハンガー枠６との連結は２つの連結穴６３を連結具７６の１つのリングへ集合連結してハンガー枠６へ連結する。
【００６０】図１１で示す通り、ハサミ具端末６２には、力点を押し込んだ場合に、指と連結具７９のリングとが摩擦して痛くない機能としてリングガード７６が構成されている。
【００６１】図１１に示す通り、洗濯バサミ６１とハンガー枠６との連結は１対の連結穴６３を連結具７９のひとつのリングへ集合連結してハンガー枠６へ連結する。
【００６２】図１２は洗濯バサミ６１の使用状態を示す図である。力点６４を押して作用点６６を最大に開いている。洗濯バサミ６１のはさみ具６７は硬質形態にて形成してあるので曲がることは無いが、連結具７９のリングに沿って連結穴６３がスライドするので、スムースな開閉が出来る。
【００６３】図９で示す連結穴４３及び図１１で示す連結穴６３はシンプルな穴で示してあるが、穴の１ヶ所に切り込みをつけフック構造として連結具の１つのリングへ連結してもよい。
【００６４】図９で示す洗濯バサミ４１及び図１１で示す洗濯バサミ６１とも、力点を押して作用点を最大に開いた状態でもバネ幅７２が洗濯バサミの幅以下に構成する。
【００６５】図１３は一体成型式洗濯バサミ８１を示す図である。２つのハサミ具を一つにまとめて一体式にて成型する。
【００６６】図１３で示す通り、支点８５は凸形態で有り、対する支点は凹形態である。支点と作用点との間に両方のハサミ具を連結するハサミ具連結部９０を構成している。ハサミ具連結部９０は使用時に於けるハサミ具とハサミ具支点の横ずれを防止する。
【００６７】ハサミ具連結部９０は、洗濯バサミ８１を組み立てた状態より、長く製作してあり、ハサミ具連結部９０は弾性形態にて成型をして柔軟に湾曲変形が出来る。
【００６８】図１４は一体成型したハサミ具８７にバネ８９を組み込み洗濯バサミ８１とした図である。この状態ではハサミ具連結部９０の余裕分が湾曲している。
【００６９】図１５は洗濯バサミ８１の作用点８６を最大に開いた状態を示している、ハサミ具連結部９０はほぼ伸びきっている、力点８４から力を取り去ることにより、柔軟性のあるハサミ具連結部９０は図１４で示す元の湾曲した形態に戻る。
【図面の簡単な説明】
【００７０】
【図１】本発明の洗濯物ハンガー構造を示す側面図
【図２】本発明の洗濯物ハンガーの折りたたみを示す側面図
【図３】本発明の洗濯物ハンガー構造を示す上面図
【図４】本発明の洗濯物ハンガーの折りたたみ状態を示す正面図
【図５】本発明のオートロックフック体の構造を示す側面図
【図６】本発明のオートロックフック体のロックした状態を示す側面図
【図７】本発明のオートロックフック体のロック解除を示す側面図
【図８】本発明のオートロックフック体のロック解除を示す側面図
【図９】本発明の洗濯バサミ４１を示す斜視図
【図１０】本発明の洗濯バサミ４１の側面図
【図１１】本発明の洗濯バサミ６１を示す斜視図
【図１２】本発明の洗濯バサミ６１の側面図
【図１３】本発明の一体成型ハサミ具８１を示す斜視図
【図１４】本発明の一体成型ハサミ具８１による洗濯バサミ組み立ての側面図
【図１５】本発明の一体成型ハサミ具８１による洗濯バサミの使用を示す側面図
【図１６】従来の洗濯物ハンガーを示す側面図
【図１７】従来の洗濯物ハンガーを示す側面図
【図１８】従来の洗濯バサミ１１１を示す斜視図
【図１９】従来の洗濯バサミ１１１を示す側面図
【符号の説明】
【００７１】１    洗濯物ハンガー
２    オートロックフック体
３    上部ハンドル
４    フック体シャフト
５    中枠受け具
６    外枠
７    内枠
８    内枠受け具
９    下部ハンドル
１０  ヒンジ
１１  洗濯バサミ
１２  中枠
１３  ワイヤー
１４  ワイヤー支持具
１５  パイプストッパー
１６  パイプ
１７  フック
１８  三股カム
１９  バネ
２０  バネ
２１  三股カムロック接点
２２  パイプストッパーロック接点
２３  三股カムＮｏ．２接点
２４  上部ハンドル接点
２５  三股カムＮｏ．３接点
２６  下部ハンドル接点
２７  閉じ具
３１  矢印  パイプ
３２  矢印  パイプストッパー
３３  矢印  三股カム
３４  矢印  上部ハンドル
３５  矢印  下部ハンドル
３６  矢印  内枠
３７  矢印  三股カム
３８  矢印  パイプストッパー
３９  矢印  パイプ
４１  洗濯バサミ
４２  はさみ具端末
４３  連結穴
４４  力点
４５  支点
４６  作用点
４７  ハサミ具
４８  洗濯物
４９  バネ
５０
５２  バネの幅
５３  線状溝
５４  弾性形態部
５９  連結具
６１  洗濯バサミ
６２  はさみ具端末
６３  連結穴
６４  力点
６５  支点
６６  作用点
６７  ハサミ具
６８  洗濯物
６９  バネ
７３  バネの幅
７５  硬質形態部
７７  リングガード
７９  連結具
８１  洗濯バサミ
８２  はさみ具端末
８３  連結穴
８４  力点
８５  支点
８６  作用点
８７  ハサミ具
８８  洗濯物
８９  バネ
９０  ハサミ具連結部
９１  線状溝
９７  成型の幅
９８  組立の幅
９９  連結具
１０１  従来の洗濯物ハンガー
１０２  挟み込み式フック
１０３  握り部
１０４  洗濯バサミ
１０５  連結具
１０６  ハンガー枠
１０７  従来の洗濯物ハンガー
１０８  Ｌ字型アームフック
１０９  洗濯バサミ
１１１  従来の洗濯バサミ
１１２  はさみ具端末
１１３  連結穴
１１４  力点
１１５  支点
１１６  作用点
１１７  ハサミ具
１１８  洗濯物
１１９  バネ
１２０  指▲１▼▲２▼▲３▼▲４▼▲５▼
１２９  連結具
【図１】
2008253695.tif 000003
【図２】
2008253695.tif 000004
【図３】
2008253695.tif 000005
【図４】
2008253695.tif 000006
【図５】
2008253695.tif 000007
【図６】
2008253695.tif 000008
【図７】
2008253695.tif 000009
【図８】
2008253695.tif 000010
【図９】
2008253695.tif 000011
【図１０】
2008253695.tif 000012
【図１１】
2008253695.tif 000013
【図１２】
2008253695.tif 000014
【図１３】
2008253695.tif 000015
【図１４】
2008253695.tif 000016
【図１５】
2008253695.tif 000017
【図１６】
2008253695.tif 000018
【図１７】
2008253695.tif 000019
【図１８】
2008253695.tif 000020
【図１９】
2008253695.tif 000021